(57)【要約】【課題】フェース向きの安定性が高く、状況の変化に対応させやすいパタークラブの提供。【解決手段】シャフトと、このシャフトの一端部に取り付けられたヘッド６と、グリップとを備えたパタークラブ２である。このヘッド６は、ソール面１２の一部を構成する平面であるソール平面部１８を有している。ソール平面部１８を区画する境界線ｋは、略フェース・バック方向に延びる第一の境界線ｋ１と、この第一の境界線ｋ１と略平行な第二の境界線ｋ２とを含む。ヘッドの重心ｇを通りソール平面部１８に垂直な線とソール面１２との交点Ｇ１は、ソール平面部１８内に位置している。第一の境界線ｋ１及び第二の境界線ｋ２の長さは、ヘッド６のフェース・バック方向における最大長さＬ１の５０％以上である。【選択図】図１
2007117333.tif 000002
【特許請求の範囲】
【請求項１】
シャフトと、このシャフトの一端部に取り付けられたヘッドと、グリップとを備えたパタークラブであって、
このヘッドは、ソール面の一部を構成する平面であるソール平面部を有し、
上記ソール平面部を区画する境界線は、略フェース・バック方向に延びる第一の境界線と、この第一の境界線と略平行な第二の境界線とを含み、
ヘッドの重心を通り上記ソール平面部に垂直な線とソール面との交点は、上記ソール平面部内に位置し、
上記第一の境界線及び第二の境界線の長さは、ヘッドのフェース・バック方向における最大長さの５０％以上であるパタークラブ。
【請求項２】
上記ソール平面部の面積は、上記ソール平面部と平行な平面へのヘッドの投影面積の１０〜４５％である請求項１に記載のパタークラブ。
【請求項３】
シャフト軸線の延長線とソール面との交点は、上記ソール平面部内に位置しない請求項１に記載のパタークラブ。
【発明の詳細な説明】
【技術分野】
【０００１】
本発明は、パタークラブに関する。
【背景技術】
【０００２】
パタークラブは、主としてグリーン上で用いられる。確率よくボールをカップインさせるために、パタークラブには、距離感及び方向性の正確性が求められる。特開２００３−２７５３４９公報は、ヘッドの高重心化やソール形状の工夫等により、方向性及び距離感の正確性を高めたとするパタークラブを開示する。
【特許文献１】特開２００３−２７５３４９公報
【発明の開示】
【発明が解決しようとする課題】
【０００３】
パッティングにおいては、アドレス時における構えやすさが重要である。構えやすいパタークラブは、フェース面をターゲットライン（目標方向）に合わせやすい。構えやすいパタークラブは、アドレス時におけるフェース向きの安定性が高い。構えやすいパタークラブは、方向性を向上させる。
【０００４】
ゴルファーの体型は様々である。アドレス時におけるパタークラブの姿勢は、ゴルファーの体型により変化する。体型の変化に対応できないパタークラブは、汎用性が低い。ゴルファー毎にオーダーメードされたパタークラブは、製造コストが高い。また、同一のゴルファーであっても、ゴルファーのアドレス姿勢は、場面ごとに微妙に変化する。また、グリーンの傾斜は、場面ごとに変化する。アドレス時において、接地面に対するパターヘッドの姿勢は、場面ごとに変化する。状況の変化に対応させやすいパタークラブが求められる。  
【０００５】
前述した従来技術のパタークラブは、安定的に接地しにくいソール形状とされているため、アドレス時におけるフェース向きの安定性が低い。フェース向きが不安定なパタークラブは、方向性が悪い。
【０００６】
前述した従来技術のパタークラブと異なり、ソール面積の広いパタークラブが存在する。接地面積の広さにより、ヘッドの接地姿勢が特定の姿勢に拘束されやすくなる。接地姿勢が拘束されやすいパタークラブは、状況の変化に対応しにくく、構えにくい。また、ソール面の形状によっては、ソール面と地面との接地位置によってフェース向きが変わりやすくなる。
【０００７】
本発明の目的は、フェース向きの安定性が高く、状況の変化に対応させやすいパタークラブの提供にある。
【課題を解決するための手段】
【０００８】
本発明に係るパタークラブは、シャフトと、このシャフトの一端部に取り付けられたヘッドと、グリップとを備えたパタークラブである。このヘッドは、ソール面の一部を構成する平面であるソール平面部を有している。このソール平面部を区画する境界線は、略フェース・バック方向に延びる第一の境界線と、この第一の境界線と略平行な第二の境界線とを有している。ヘッドの重心を通り上記ソール平面部に垂直な線とソール面との交点は、上記ソール平面部内に位置している。上記第一の境界線及び第二の境界線の長さは、ヘッドのフェース・バック方向における最大長さの５０％以上である。
【０００９】
好ましくは、上記パタークラブにおいて、上記ソール平面部の面積は、上記ソール平面部と平行な平面へのヘッドの投影面積の１０〜４５％である
【００１０】
好ましくは、上記パタークラブにおいて、シャフト軸線の延長線とソール面との交点は、上記ソール平面部内に位置しない。
【発明の効果】
【００１１】
このパタークラブは、ソール面の形状等を適切に設定したので、フェース向きの安定性が高く、且つ、状況の変化に対応させやすい。
【発明を実施するための最良の形態】
【００１２】
以下、適宜図面が参照されつつ、好ましい実施形態に基づいて本発明が詳細に説明される。
【００１３】
図１は、本発明の第一実施形態であるパタークラブ２の全体図である。パタークラブ２は、シャフト４と、シャフト４の一端側に取り付けられたヘッド６と、シャフト４の他端側に取り付けられたグリップ８とを有する。
【００１４】
図２は、ヘッド６の斜視図である。ヘッド６は、トップ面１０とソール面１２とフェース面１４とを有する。トップ面１０は、ヘッド６の上面を構成する。ソール面１２は、ヘッド６の下面を構成する。フェース面１４は、ヘッド６の前面を構成する。フェース面１４は、打撃時にボールと接触する。フェース面１４は、トップ面１０の前側縁部と、ソール面１２の前側縁部との間に延びている。
【００１５】
ヘッド６は、サイド面１６を有する。サイド面１６は、トップ面１０の縁部とソール面１２の縁部との間に延び且つフェース面１４とは異なる面である。ヘッド６のヘッド形状は、マレット型とも称される。
【００１６】
ヘッド６には、リアルロフト角が設定されている。ヘッド６のリアルロフト角は、０度〜６度程度の範囲で適宜設定される。なお、一般的なパターヘッドのリアルロフト角は、３〜６度程度である。
【００１７】
ヘッド６は、シャフト４を挿入して接着するためのシャフト穴７を有している。図１が示すように、シャフト４の先端部分がシャフト穴７に挿入される。シャフト穴７に挿入されたシャフト４の外面とシャフト穴７の内周面とが接着される。パタークラブ２のライ角を適切とするため、シャフト４の先端部分近傍は曲げられている（図１参照）。
【００１８】
図３（ａ）は、ヘッド６をトップ面１０側から見た図である。図３（ｂ）は、ヘッド６をフェース面１４側から見た図である。図３（ｃ）は、ヘッド６をヒール側から見た図である。図４は、ヘッド６をソール面１２側からみた図である。ソール面１２は、複数の平面部を有している。ソール面１２は、第一のソール平面部１８と、第一のソール平面部１８のトウ側に位置する第二のソール平面部２０と、第一のソール平面部１８のヒール側に位置する第三のソール平面部２２と、第一のソール平面部１８のバック側に位置する第四のソール平面部２４とを有する。図４において、第一のソール平面部１８は斜線ハッチングで示されている。第一のソール平面部１８が、本発明におけるソール平面部である。
【００１９】
図４が示すように、第一のソール平面部１８を区画する境界線ｋは、四角形である。第一のソール平面部１８を区画する境界線ｋは、長方形である。第一のソール平面部１８を区画する境界線ｋは、他の図形であってもよい。第一のソール平面部１８を区画する境界線ｋは、略フェース・バック方向に延びる第一の境界線ｋ１を含む。第一のソール平面部１８を区画する境界線ｋは、第一の境界線ｋ１と略平行な第二の境界線ｋ２を含む。第一の境界線ｋ１は第二の境界線ｋ２のトウ側に位置する。第一の境界線ｋ１及び第二の境界線ｋ２は、第一のソール平面部１８を区画する稜線である。
【００２０】
第一のソール平面部１８を区画する境界線ｋは、第一の境界線ｋ１のフェース側端と、第二の境界線ｋ２のフェース側端との間に延びる第三の境界線ｋ３を有する。また、第一のソール平面部１８を区画する境界線ｋは、第一の境界線ｋ１のバック側端と、第二の境界線ｋ２のバック側端との間に延びる第四の境界線ｋ４を有する。
【００２１】
トウ・ヒール方向は、第一のソール平面部１８と平行な平面Ｈ１（図示されない）と、フェース面１４に平行な平面Ｈ２（図示されない）との交線Ｆ１の方向と定義されうる。フェース・バック方向は、上記平面Ｈ１上において、上記交線Ｆと垂直な方向と定義されうる。
【００２２】
第一のソール平面部１８を延長した平面は、ヘッド６と交差しない。ヘッド６は、第一のソール平面部１８のみで接地させることが可能である。図１が示すように、パタークラブ２は、水平面上において、第一のソール平面部１８のみが水平面と接した状態Ｄ１を採りうる。パタークラブ２は、水平面ｈ上において、第一の境界線ｋ１のみが水平面ｈと接した状態Ｄ２を採りうる。パタークラブ２は、水平面ｈ上において、第二の境界線ｋ２のみが水平面ｈと接した状態Ｄ３を採りうる。
【００２３】
第一のソール平面部１８のみが水平面と接した状態Ｄ１の場合、ソール面１２と水平面ｈとが面接触するため、ヘッド６は安定する。第一の境界線ｋ１のみが水平面と接した状態Ｄ２の場合、ソール面１２と水平面ｈとが線接触する。水平面上において、第二の境界線ｋ２のみが水平面と接した状態Ｄ３の場合も、ソール面１２と水平面ｈとが線接触する。状態Ｄ２及び状態Ｄ３においては、シャフト軸線ｚと水平面ｈとのなす角度θは変化しうる。なお、角度θは、水平面ｈと垂直な方向にシャフト軸線ｚを水平面ｈに投影させたときの投影像の直線とシャフト軸線ｚとのなす角度である。また、シャフト４のようにシャフト先端部分が曲がっている場合、シャフト軸線ｚとは、グリップ装着部分から連続する真っ直ぐな部分におけるシャフトの軸線を意味する（図１参照）。つまり、シャフトのヘッド側端部に屈曲部を有するシャフトのシャフト軸線ｚは、その屈曲部を除いたシャフトの軸線である。
【００２４】
第一の境界線ｋ１がフェース・バック方向に延びている場合、状態Ｄ２において角度θが変化しても、フェース向きはほとんど変化しない。状態Ｄ２では、フェース面１４の向きは第一の境界線ｋ１とほぼ同じ方向となる。略フェース・バック方向に延びる第一の境界線ｋ１により、フェース向きが安定する。状態Ｄ２では、シャフト軸線ｚと水平面ｈとのなす角度θが変化しうる。角度θの変化によるフェース向きの変化が抑制されたヘッド６は、状況の変化に対応させやすい。打撃されたボールは、フェース向きと同じ方向に打ち出される。
【００２５】
第二の境界線ｋ２がフェース・バック方向に延びている場合、状態Ｄ３において角度θが変化しても、フェース向きはほとんど変化しない。状態Ｄ３では、フェース面１４の向きは第二の境界線ｋ２とほぼ同じ方向となる。略フェース・バック方向に延びる第二の境界線ｋ２により、フェース向きが安定する。状態Ｄ３では、シャフト軸線ｚと水平面ｈとのなす角度θが変化しうる。角度θの変化によるフェース向きの変化が抑制されたヘッド６は、状況の変化に対応させやすい。
【００２６】
第一の境界線ｋ１と第二の境界線ｋ２とが平行である場合、状態Ｄ２と状態Ｄ３との相互変換によりフェース向きは変化しない。状態Ｄ２から、状態Ｄ１を経て状態Ｄ３に至る過程において、フェース向きは変化しない。第一の境界線ｋ１と第二の境界線ｋ２とが略平行とされることにより、フェースの向きが安定する。角度θの変化によるフェース向きの変化が抑制されているため、ヘッド６は状況の変化に対応しやすい。
【００２７】
前述したように、第一の境界線ｋ１は略フェース・バック方向に延びている。角度θの変化によるフェース向きの変化を抑制する観点から、第一の境界線ｋ１とフェース・バック方向とのなす角度ａ１（図示されない）は、５度以下であるのが好ましく、２度以下であるのがより好ましく、１度以下であるのが特に好ましい。
【００２８】
前述したように、第二の境界線ｋ２は略フェース・バック方向に延びている。角度θの変化によるフェース向きの変化を抑制する観点から、第二の境界線ｋ２とフェース・バック方向とのなす角度ａ２（図示されない）は、５度以下であるのが好ましく、２度以下であるのがより好ましく、１度以下であるのが特に好ましい。
【００２９】
前述したように、第一の境界線ｋ１と第二の境界線ｋ２とは略平行である。状態Ｄ２と状態Ｄ３との相互変換におけるフェース向きの変化を抑制する観点から、第一の境界線ｋ１の延長線と第二の境界線ｋ２の延長線とのなす角度ａ３（図示されない）は、５度以下であるのが好ましく、２度以下であるのがより好ましく、１度以下であるのが特に好ましい。
【００３０】
図３及び図４が示すように、ヘッドの重心ｇを通り第一のソール平面部１８に垂直な線とソール面１２との交点Ｇ１は、第一のソール平面部１８に位置している。交点Ｇ１がソール平面部１８内にあるため、ヘッド６は安定的に接地されやすい。
【００３１】
図１が示すように、シャフト軸線ｚの延長線とソール面１２との交点Ｍは、ソール平面部１８内に位置していない。交点Ｍは、第三のソール平面部２２内に位置している。交点Ｍは、ソール平面部１８よりもヒール側に位置している。交点Ｍがソール平面部１８内に位置していないことは、ヘッド６の安定性を低下させる不都合を生じうる。この不都合が、本実施形態では解消されている。なぜなら、状態Ｄ２又は状態Ｄ３においてフェース向きが安定しているからである。
【００３２】
フェース面１４とソール面１２との境界部分には、面取り部２８が設けられている。第一の境界線ｋ１のフェース面１４側の始点はフェース面１４よりもバック側にある。パッティングストロークにおけるヘッド６の抜けを良くする観点から、第一の境界線ｋ１のフェース面１４側の始点は、リーディングエッジ３０よりも１ｍｍ以上バック側とされるのが好ましく、２ｍｍ以上バック側とされるのがより好ましい。第一の境界線ｋ１の長さＬ５を長くして上記状態Ｄ２におけるヘッド６を安定させる観点から、第一の境界線ｋ１のフェース面１４側の始点は、リーディングエッジ３０よりもバック側に配置されるとともに、第一の境界線ｋ１のフェース面１４側の始点とリーディングエッジ３０とのフェース・バック方向距離は、１０ｍｍ以下が好ましく、９ｍｍ以下がより好ましく、８ｍｍ以下が特に好ましい。
【００３３】
第二の境界線ｋ２のフェース面１４側の始点はフェース面１４よりもバック側にある。パッティングストロークにおけるヘッド６の抜けを良くする観点から、第二の境界線ｋ２のフェース面１４側の始点は、リーディングエッジ３０よりも１ｍｍ以上バック側とされるのが好ましく、２ｍｍ以上バック側とされるのがより好ましい。第二の境界線ｋ２の長さＬ６を長くして上記状態Ｄ３におけるヘッド６を安定させる観点から、第二の境界線ｋ２のフェース面１４側の始点は、リーディングエッジ３０よりもバック側に配置されるとともに、第二の境界線ｋ２のフェース面１４側の始点とリーディングエッジ３０とのフェース・バック方向距離は、１０ｍｍ以下が好ましく、９ｍｍ以下がより好ましく、８ｍｍ以下が特に好ましい。
【００３４】
なお、第一の境界線ｋ１等の境界線近傍の断面形状が丸められている場合、境界線は、平面部分と曲面部分との境界線を意味する。
【００３５】
前述した状態Ｄ２におけるヘッド６の安定性の観点から、第一の境界線ｋ１の長さＬ５は、ヘッド６のフェース・バック方向における最大長さＬ１（図３及び図４参照）の５０％以上であるのが好ましく、５２％以上がより好ましく、５５％以上が特に好ましい。パッティングストロークにおけるヘッド６の抜けを良くする観点から、第一の境界線ｋ１の長さＬ５は、上記最大長さＬ１の９０％以下が好ましく、８８％以下がより好ましく、８５％以下が特に好ましい。
【００３６】
前述した状態Ｄ３におけるヘッド６の安定性の観点から、第二の境界線ｋ２の長さＬ６は、ヘッド６のフェース・バック方向における最大長さＬ１（図３及び図４参照）の５０％以上であるのが好ましく、５２％以上がより好ましく、５５％以上が特に好ましい。パッティングストロークにおけるヘッド６の抜けを良くする観点から、第二の境界線ｋ２の長さＬ６は、上記最大長さＬ１の９０％以下が好ましく、８８％以下がより好ましく、８５％以下が特に好ましい。
【００３７】
ヘッド６の安定性の観点から、ソール平面部１８の面積Ｓ１（図４において破線ハッチングで示される領域の面積）は、ソール平面部１８と平行な平面へのヘッドの投影面積Ｓ２（ソール平面部１８と垂直な方向に投影したときの投影面積）の１０％以上とされるのが好ましく、１２％以上とされるのがより好ましく、１５％以上とされるのが特に好ましい。パッティングストロークにおけるヘッド６の抜けを良くする観点から、面積Ｓ１は、面積Ｓ２の４５％以下が好ましく、４３％以下がより好ましく、４０％以下が特に好ましい。
【００３８】
アドレス時におけるライ角の自由度を高める観点から、上記状態Ｄ２において採りうる角度θの上限値Ｊ１は、７３度以上とされるのが好ましく、７５度以上とされるのがより好ましく、８０度以上とされるのが特に好ましい。ソール形状を過度に拘束しない観点から、上限値Ｊ１は９０度以下とされるのがよい。アドレス時におけるライ角の自由度を高める観点から、上記状態Ｄ３において採りうる角度θの下限値Ｊ２は、７０度以下とされるのが好ましく、６８度以下とされるのがより好ましく、６５度以下とされるのが特に好ましい。ソール形状を過度に拘束しない観点から、下限値Ｊ２は、４０度以上とされるのがよい。
【００３９】
上記状態Ｄ１、Ｄ２及びＤ３において採りうる上記角度θの範囲を拡大する観点から、前述した上限値Ｊ１と下限値Ｊ２との角度差は、５度以上が好ましく、１０度以上がより好ましく、２０度以上が更に好ましく、３０度以上が特に好ましい。ヘッド形状を過度に拘束しない観点から、前述した上限値Ｊ１と下限値Ｊ２との角度差は、９０度以下が好ましく、８０度以下がより好ましい。
【００４０】
アドレス時のライ角において上記状態Ｄ１、状態Ｄ２又は状態Ｄ３を採りやすくする観点から、水平面ｈとソール平面部１８とを面接触させた場合における上記角度θは、６５度以上が好ましく、６８度以上がより好ましい。アドレス時のライ角において上記状態Ｄ１、状態Ｄ２又は状態Ｄ３を採りやすくする観点から、水平面ｈとソール平面部１８とを面接触させた場合における上記角度θは、８５度以下が好ましく、８０度以下がより好ましい。
【００４１】
ソール平面部１８、第一の境界線ｋ１又は第二の境界線ｋ２で接地しやすくする観点から、ヘッドの重心ｇからフェース面１４に下ろした垂線Ｌ２（図３（ｃ）参照）とソール平面部１８に平行な平面Ｐとのなす角度ａ４（図示されない）の絶対値は、１０度以下が好ましく、８度以下がより好ましく、５度以下が特に好ましく、実質的に０度とされるのが最も好ましい。なお、角度ａ４は、直線Ｌ２をソール平面部１８と垂直な方向に投影した上記平面Ｐ上の投影像の直線と、直線Ｌ２とのなす角度である。
【００４２】
シャフト軸線ｚ（シャフトのヘッド側端部が屈曲している場合には、その屈曲部を除いたシャフトの軸線）の延長線に近い位置にボールを置いて構えやすくする観点から、次の（ａ）又は（ｂ）とされるのが好ましい。
（ａ）シャフト軸線ｚの延長線をフェース面１４に垂直な方向においてフェース面１４上に投影した投影像の直線が、フェース面１４の図心を通る。
（ｂ）シャフト軸線ｚの延長線をフェース面１４に垂直な方向においてフェース面１４上に投影した投影像の直線が、フェース面１４の図心よりもヒール側に位置し、シャフト軸線ｚの延長線をフェース面１４に垂直な方向においてフェース面１４上に投影した投影像の直線と、フェース面１４の図心との距離が４０ｍｍ以下、より好ましくは３０ｍｍ以下である。
【００４３】
シャフト軸線ｚの延長線に近い位置にボールを置いて構えやすくする観点、違和感なく構えやすくする観点及びヘッドの構造や形態における制限の観点から、シャフト軸線ｚはフェース面１４よりもバック側（フェース・バック方向におけるバック側）に位置させるとともに、シャフト軸線ｚとフェース面１４との最短距離は、５ｍｍ以上とされるのがよく、また、シャフト軸線ｚとフェース面１４との最短距離は、２０ｍｍ以下、さらに好ましくは１０ｍｍ以下とされるのがよい。
【００４４】
ヘッド６の材質は特に限定されず、金属や樹脂等が例示される。金属として、ステンレス、軟鉄、チタン合金、アルミニウム合金等が例示される。樹脂として、エポキシ樹脂、ポリカーボネート樹脂等が例示される。樹脂は、ＣＦＲＰ（炭素繊維強化プラスチック）であってもよい。慣性モーメントの増大、重心位置の変更、打球感の向上等の目的で、ヘッド６は複数の材質から構成されてもよい。ヘッド本体と別部材とを組み合わせても良い。別部材の材質を構成する金属として、タングステン、真鍮、銅、亜鉛及びこれらの合金が挙げられる。他の別部材の材質として、ウレタン樹脂、ＣＦＲＰ等が挙げられる。
【００４５】
ヘッド６の体積Ｖは特に限定されず、通常３０ｃｃ〜１５０ｃｃとされる。ヘッド６の重量は特に限定されず、クラブバランスを考慮して２５０ｇ〜５００ｇ程度とされる。パタークラブ２のクラブ長さは、ゴルフクラブ規則の範囲内であればいかなる長さでもよい。
【００４６】
慣性モーメントと外観上の安心感とを増大させる観点から、ヘッド６のトウ・ヒール方向最大長さＷ１（図４参照）は、５０ｍｍ以上が好ましく、５５ｍｍ以上がより好ましく、６０ｍｍ以上が特に好ましい。外観上の違和感と過度の重量増加とを抑制する観点から、長さＷ１は１５０ｍｍ以下が好ましく、１４５ｍｍ以下がより好ましく、１４０ｍｍ以下が特に好ましい。
【００４７】
本発明は、特にソール面１２の面積が広くされた場合における不都合（状況の変化に対する対応性の低下）を効果的に抑制する。ソール面が広く本発明の効果が顕在化する観点から、ヘッド６のフェース・バック方向における最大長さＬ１は２０ｍｍ以上が好ましく、２５ｍｍ以上がより好ましく、３０ｍｍ以上が特に好ましい。パッティングストロークにおけるソール面のバック側でのダフり現象を抑え、外観上の違和感を抑制する観点から、長さＬ１は１４０ｍｍ以下が好ましく、１３０ｍｍ以下がより好ましく、１１０ｍｍ以下が特に好ましい。
【００４８】
ヘッド６の安定性を高める観点から、第一の境界線ｋ１と第二の境界線ｋ２とのトウ・ヒール方向における間隔Ｂ１（図４参照）は、ヘッド６のフェース・バック方向における最大長さＬ１の１０％以上が好ましく、１５％以上がより好ましく、２０％以上が特に好ましい。アドレス時における上記角度θを変更しやすくするため、間隔Ｂ１は、長さＬ１の５０％以下が好ましく、４８％以下がより好ましく、４５％以下が特に好ましい。
【００４９】
上記状態Ｄ２と状態Ｄ３との間の差異を少なくする観点から、第一の境界線ｋ１の長さＬ５と第二の境界線ｋ２の長さＬ６とは実質的に同一とされるのが好ましい。
【００５０】
第三の境界線ｋ３で接地した場合におけるヘッドの安定性の観点から、第三の境界線ｋ３は、フェース面１４の図心を通り且つフェース面１４に垂直な平面Ｐ２（図４参照）とソール平面部１８との交線Ｆ２に関して対称であるのが好ましい。第四の境界線ｋ４で接地した場合におけるヘッドの安定性の観点から、第四の境界線ｋ４は、交線Ｆ２に関して対称であるのが好ましい。
【００５１】
上記状態Ｄ２と状態Ｄ３との間の差異を少なくする観点から、第一の境界線ｋ１と第二の境界線ｋ２とは、互いに上記交線Ｆ２に関して略対称であるのが好ましい。上記状態Ｄ２と状態Ｄ３との間の差異を少なくする観点から、第一の境界線ｋ１のトウ・ヒール方向位置と第二の境界線ｋ２のトウ・ヒール方向位置との相違が２ｍｍ以下とされるのが好ましく、１ｍｍ以下とされるのがより好ましい。上記状態Ｄ２と状態Ｄ３との間の差異を少なくする観点から、上記交線Ｆ２と第一の境界線ｋ１との距離ｄ１と、上記交線Ｆ２と第二の境界線ｋ２との距離ｄ２との差（ｄ２−ｄ１）の絶対値は、２ｍｍ以下が好ましく、１ｍｍ以下がより好ましい。
【００５２】
図５は、ソール平面部１８の他の変形例を示している。図５の（ａ）〜（ｉ）のそれぞれは、変形例におけるソール平面部１８の境界線ｋを示す。第一の境界線ｋ１のフェース側端と、第二の境界線ｋ２のフェース側端との間に延びる第三の境界線ｋ３の形状は限定されない。また、第一の境界線ｋ１のバック側端と、第二の境界線ｋ２のバック側端との間に延びる第四の境界線ｋ４の形状は限定されない。
【００５３】
例えば、図５（ｃ）及び図５（ｄ）が示すように、第三の境界線ｋ３は、フェース側に凸とされた形状でもよい。フェース側に凸とされた形状として、例えば、図５（ｃ）及び図５（ｄ）において実線で示される略Ｖ字状の形状や、図５（ｃ）及び図５（ｄ）において破線で示される湾曲状の形状などが例示される。
【００５４】
例えば、図５（ｆ）や図５（ｇ）が示すように、第三の境界線ｋ３は、フェース側に凹とされた形状でもよい。フェース側に凹とされた形状として、例えば、図５（ｆ）及び図５（ｇ）において実線で示される略Ｖ字状の形状や、図５（ｆ）及び図５（ｇ）において破線で示される湾曲状の形状などが例示される。
【００５５】
例えば、図５（ｅ）及び図５（ｇ）が示すように、第四の境界線ｋ４は、フェース側に凸とされた形状でもよい。フェース側に凸とされた形状として、例えば、図５（ｅ）及び図５（ｇ）において実線で示される略Ｖ字状の形状や、図５（ｅ）及び図５（ｇ）において破線で示される湾曲状の形状などが例示される。
【００５６】
例えば、図５（ｂ）や図５（ｄ）が示すように、第四の境界線ｋ４は、フェース側に凹とされた形状でもよい。フェース側に凹とされた形状として、例えば、図５（ｂ）及び図５（ｄ）において実線で示される略Ｖ字状の形状や、図５（ｂ）及び図５（ｄ）において破線で示される湾曲状の形状などが例示される。
【００５７】
振り抜きの際のヘッドの安定性及び打球方向性の観点から、第三の境界線ｋ３は、トウ・ヒール方向に平行な直線であるのが好ましい。図５（ａ）、図５（ｂ）、図５（ｅ）及び図５（ｈ）は、第三の境界線ｋ３がトウ・ヒール方向に平行な直線とされた例である。振り抜きの際のヘッドの安定性及び打球方向性の観点から、第四の境界線ｋ４は、トウ・ヒール方向に平行な直線であるのが好ましい。図５（ａ）、図５（ｃ）及び図５（ｆ）は、第四の境界線ｋ４がトウ・ヒール方向に平行な直線とされた例である。
【実施例】
【００５８】
以下、実施例によって本発明の効果が明らかにされるが、この実施例の記載に基づいて本発明が限定的に解釈されるべきではない。
【００５９】
［実施例１］
ヘッドの素材は、６０６３アルミ合金を素材とした。ヘッドの製法は、削りだし製法とした。削り出されたヘッドの全面にアルマイト処理を施して、実施例１のヘッドを得た。実施例１のヘッドの構成は、前述した第一実施形態のヘッド６と同一とされた。以下、第一実施形態で用いられたものと同一の符合を用いて実施例１の説明がなされる。ヘッド６のヘッド体積Ｖは１２５ｃｃとされた。ヘッド６の重心深度は３５ｍｍである。この重心深度は、リーディングエッジからヘッドの重心ｇまでのフェース・バック方向における距離である。ソール平面部１８の形状は四角形（長方形）とされた。ソール平面部１８の面積Ｓ１は１８ｃｍ２とされた。ヘッドの投影面積Ｓ２は８５ｃｍ２とされた。面積比〔（Ｓ１／Ｓ２）×１００〕は２１％とされた。ソール平面部１８のフェース・バック方向長さＬ３は、６０ｍｍとされた。第一の境界線ｋ１の長さＬ５及び第二の境界線ｋ２の長さＬ６は、６０ｍｍとされた。ヘッド６のフェース・バック方向における最大長さＬ１は、８５ｍｍとされた。長さ比〔（Ｌ３／Ｌ１）×１００〕は、７１％となった。長さ比〔（Ｌ５／Ｌ１）×１００〕及び長さ比〔（Ｌ６／Ｌ１）×１００〕も７１％となった。ソール平面部１８のトウ・ヒール方向長さＬ４は、３０ｍｍとされた。ヘッド６のトウ・ヒール方向最大長さＷ１は、１００ｍｍとされた。長さ比〔（Ｌ４／Ｗ１）×１００〕は、３０％とされた。交点Ｇ１は、ソール平面部１８内に位置していた。シャフト軸線ｚの延長線とソール面１２との交点Ｍは、ソール平面部１８内に位置していなかった。このヘッド６にシャフト及びグリップを装着して、実施例１のパタークラブを得た。
【００６０】
［実施例２］
実施例２のヘッド３２をソール面側から見た図が図６である。ヘッド３２のソール面３６は、ソール平面部３４を有している。ソール平面部３４は、第一の境界線ｋ１と、第二の境界線ｋ２とを有している。第一の境界線ｋ１及び第二の境界線ｋ２は、フェース・バック方向と平行である。またソール平面部３４は、第一の境界線ｋ１のフェース側端と、第二の境界線ｋ２のフェース側端との間に延びる第三の境界線ｋ３と、第一の境界線ｋ１のバック側端と、第二の境界線ｋ２のバック側端との間に延びる第四の境界線ｋ４とを有している。ヘッドの重心ｇを通り第一のソール平面部３４に垂直な線とソール面との交点Ｇ１は、ソール平面部３４内に位置していた。シャフト軸線ｚの延長線とソール面３６との交点Ｍは、ソール平面部３４内に位置していた。ソール面の形状を変更し、面積Ｓ１、長さＬ３、第一の境界線ｋ１の長さＬ５、第二の境界線ｋ２の長さＬ６及び長さＬ４を下記の表１に示される通りとした以外は実施例１と同様にして、実施例２のパタークラブを得た。
【００６１】
［実施例３］
長方形をなす境界線ｋの長辺及び短辺の長さを変更し、長さＬ３、長さＬ４及び長さＬ５を４２．５ｍｍとし且つ長さＬ４を４２．４ｍｍとした以外は実施例１と同仕様として、実施例３のパタークラブを得た。
【００６２】
［実施例４］  
長方形をなす境界線ｋの長辺及び短辺の長さを変更し、長さＬ３、長さＬ４及び長さＬ５を３０ｍｍとし且つ長さＬ４を６０ｍｍとした以外は実施例１と同仕様として、実施例３のパタークラブを得た。
【００６３】
［比較例１］
比較例１のヘッド３８をソール面側から見た図が図７である。ヘッド３８のソール面４０は、ソール平面部４２を有している。ソール平面部４２は、第一の境界線ｋ１と、第二の境界線ｋ２とを有している。第一の境界線ｋ１及び第二の境界線ｋ２は、フェース・バック方向と平行である。またソール平面部４２は、第一の境界線ｋ１のフェース側端と、第二の境界線ｋ２のフェース側端との間に延びる第三の境界線ｋ３と、第一の境界線ｋ１のバック側端と、第二の境界線ｋ２のバック側端との間に延びる第四の境界線ｋ４とを有している。ヘッドの重心ｇを通り第一のソール平面部４２に垂直な線とソール面との交点Ｇ１は、ソール平面部４２内に位置していなかった。シャフト軸線ｚの延長線とソール面４０との交点Ｍは、ソール平面部４２内に位置していなかった。ソール面の形状を変更し、面積Ｓ１、長さＬ３、、長さＬ５、長さＬ６、長さＬ４を下記の表１に示される通りとした以外は実施例１と同様にして、比較例１のパタークラブを得た。
【００６４】
［比較例２］
比較例２のヘッド４４をソール面側から見た図が図８である。ヘッド４４のソール面４６は、ソール平面部４８を有している。ソール平面部４８は、楕円形である。ソール平面部４８は、第一の境界線ｋ１及び第二の境界線ｋ２を有さない。ヘッドの重心ｇを通り第一のソール平面部４８に垂直な線とソール面との交点Ｇ１は、ソール平面部４８内に位置していなかった。シャフト軸線ｚの延長線とソール面４６との交点Ｍは、ソール平面部４８内に位置していた。ソール面の形状を変更し、ソール平面部の形状を楕円形とするとともに、ソール平面部４８の面積Ｓ１、ソール平面部４８のトウ・ヒール方向長さＬ４は下記の表１に示される通りとした以外は実施例１と同様にして、比較例２のパタークラブを得た。
【００６５】
［比較例３］
比較例３のヘッド５０をソール面側から見た図が図９である。ヘッド５０のソール面５２は、ソール平面部５４を有している。ソール平面部５４は、長方形である。ヘッド５０は、ヘッド５０の後方部は、アルミ合金よりも比重の大きい重量部材５６で置換されている。重量部材５６は、ステンレス鋼（ＳＵＳ３０４）よりなる。重量部材５６以外の部分は、６０６３アルミ合金よりなる。ソール平面部５４は、第一の境界線ｋ１と、第二の境界線ｋ２とを有している。第一の境界線ｋ１及び第二の境界線ｋ２は、フェース・バック方向と平行である。またソール平面部５４は、第一の境界線ｋ１のフェース側端と、第二の境界線ｋ２のフェース側端との間に延びる第三の境界線ｋ３と、第一の境界線ｋ１のバック側端と、第二の境界線ｋ２のバック側端との間に延びる第四の境界線ｋ４とを有している。ヘッドの重心ｇを通り第一のソール平面部５４に垂直な線とソール面との交点Ｇ１は、ソール平面部５４内に位置していなかった。シャフト軸線ｚの延長線とソール面５２との交点Ｍは、ソール平面部５４内に位置していなかった。重量部材５６を設けると共に、ヘッドの大きさ及びソール面の形状を変更し、ヘッド体積Ｖ、ヘッド重量、重心深度Ｄ、面積Ｓ１、長さＬ３、第一の境界線ｋ１の長さＬ５、第二の境界線ｋ２の長さＬ６及び長さＷ１を下記の表１に示される通りとした以外は実施例１と同様にして、比較例３のパタークラブを得た。
【００６６】
［評価］
官能評価Ａ、官能評価Ｂ及び官能評価Ｃにより、各パタークラブを評価した。各評価Ａ、Ｂ及びＣは、１０名のテスターの平均値である。
【００６７】
［官能評価Ａ］
アドレスの際のヘッドの安定性について５段階評価がなされた。「非常に良好である」が５点とされ、「良好である」が４点とされ、「普通」が３点とされ、「あまり良好ではない」が２点とされ、「良好でない」が１点とされた。点数が多いほど評価が高い。この評価結果が、下記の表１に示されている。
【００６８】
［官能評価Ｂ］
アドレスの際のライ角及びロフト角の自由度について５段階評価がなされた。この自由度が高いことは、状況の変化に対応しやすいことを示す。「非常に良好である」が５点とされ、「良好である」が４点とされ、「普通」が３点とされ、「あまり良好ではない」が２点とされ、「良好でない」が１点とされた。点数が多いほど評価が高い。この評価結果が、下記の表１に示されている。
【００６９】
［官能評価Ｃ］
ターゲット（目標方向）へのフェース向きの合わせやすさについて５段階評価がなされた。「非常に良好である」が５点とされ、「良好である」が４点とされ、「普通」が３点とされ、「あまり良好ではない」が２点とされ、「良好でない」が１点とされた。点数が多いほど評価が高い。この評価結果が、下記の表１に示されている。
【００７０】
【表１】
2007117333.tif 000003
【００７１】
表１に示されるように、官能評価Ａ、Ｂ、Ｃを総合して判断すると、実施例のパタークラブは、比較例のパタークラブに比べて評価が高い。この評価結果から、本発明の優位性は明らかである。
【図面の簡単な説明】
【００７２】
【図１】図１は、本発明の第一実施形態のパタークラブ及び実施例１のパタークラブを示す全体図である。
【図２】図２は、図１のパタークラブのヘッドを示す斜視図である。
【図３】図３（ａ）は、図２のヘッドをトップ面側から見た図である。図３（ｂ）は、図２のヘッドをフェース面側から見た図である。図３（ｃ）は、図２のヘッドをヒール側から見た図である。
【図４】図４は、図２のヘッドをソール面側から見た図である。
【図５】図５は、ソール平面部を区画する境界線の変形例を示す図である。
【図６】図６は、実施例２のパタークラブのヘッドをソール面側から見た図である。
【図７】図７は、比較例１のパタークラブのヘッドをソール面側から見た図である。
【図８】図８は、比較例２のパタークラブのヘッドをソール面側から見た図である。
【図９】図９は、比較例３のパタークラブのヘッドをソール面側から見た図である。
【符号の説明】
【００７３】
２・・・パタークラブ
４・・・シャフト
６、３２、３８、４４、５０・・・ヘッド
８・・・グリップ
１０・・・トップ面
１２、３６、４０、４６、５２・・・ソール面
１４・・・フェース面
１６・・・サイド面
１８、３４、４２、４８、５４・・・ソール平面部
ｋ・・・ソール平面部を区画する境界線
ｋ１・・・第一の境界線
ｋ２・・・第二の境界線
Ｇ１・・・ヘッドの重心を通りソール平面部に垂直な線とソール面との交点
ｚ・・・シャフト軸線
Ｍ・・・シャフト軸線の延長線とソール面との交点
Ｌ１・・・ヘッドのフェース・バック方向における最大長さ
【図１】
2007117333.tif 000004
【図２】
2007117333.tif 000005
【図３】
2007117333.tif 000006
【図４】
2007117333.tif 000007
【図５】
2007117333.tif 000008
【図６】
2007117333.tif 000009
【図７】
2007117333.tif 000010
【図８】
2007117333.tif 000011
【図９】
2007117333.tif 000012